(57)【特許請求の範囲】
【請求項１】
スライド軸の軸端を支持する支持部材に形成された長孔にスライド軸の軸端をスライド用ブッシュを介して該長孔の長手方向にスライド自在に嵌挿し、前記スライド軸がリクライニング方式の椅子における座部を受台に対しスライドさせるための軸である、スライド軸の軸止め装置であって、
前記ブッシュは前記長孔に内嵌する長円形状の軸挿通部と前記座受と前記受台との間に介装されるフランジ部とを有し、前記軸挿通部および前記フランジ部には前記スライド軸の直径が挿通し得る短径を有する長円形状の軸挿通孔が形成されており、
このブッシュの前記長孔から突出する端部に係合部を形成するとともにこのブッシュの端部を隠蔽する化粧カバーに前記ブッシュの係合部に係着する係止部を設け、前記ブッシュの係合部に係着する化粧カバーによりスライド軸の抜止めとブッシュおよびスライド軸の軸端の隠蔽とをなさしめるようにし、
前記スライド軸は同一径に形成された棒形状を有し、前記スライド軸の前記軸端は前記棒形状の状態で、前記ブッシュを介して前記長孔の長手方向にスライド自在に嵌挿され前記化粧カバーに対面している
ことを特徴とするスライド軸の軸止め装置。
【発明の詳細な説明】
【０００１】
【発明の属する技術分野】
本発明はスライド軸の軸止め装置に係り、特に軸端に特別な加工を要することなくスライド軸の軸端の隠蔽と共にスライド軸の抜止めを図るスライド軸の軸止め装置に関する。
【０００２】
【従来の技術】
例えばリクライニング方式の椅子においては、図５に略示するように脚１に支持される受台２に背もたれ３のフレーム４が軸５を中心に後傾自在に取付けられ、この背もたれ３の後傾に連動してその背もたれ３の傾斜角度に合わせて座りやすくするため座部６が若干後方へスライドするようになっている。
【０００３】
上記座部６はその後部が上下方向に揺動しつつスライドするため、座部６の座受７の前端近くに横設されたスライド軸８の軸端が前記受台２の両側部に形成された長孔９に挿通され、その長孔９の長さ分だけスライド可能とされている。
【０００４】
上記のスライド軸８の取付けには、図６に図５のＡ−Ａ矢視における一端側を拡大して示すように座受７の円孔を貫通しかつ受台２の長孔９から突出した軸端部の周方向に溝１０を加工し、この溝１０にＥリング等の止金１１を嵌着して抜止めし、その上から化粧カバー１２を被せて止金１１を隠すようにし、この化粧カバー１２を受台２に固定するようになされている。なお１３はスライド軸８の滑りをよくするため前記長孔９内に嵌着されたブッシュである。
【０００５】
【発明が解決しようとする課題】
しかるに上記従来の構造では、スライド軸８の軸端に溝１０を加工し、この溝１０にＥリング等の止金１１を嵌着したのち化粧カバー１２を被せ、この化粧カバー１２を受台２に固着させることが必要となるため、軸端への溝加工が必須となるうえ止金１１を必要とするとともに化粧カバー１２を接着等の手段により固着させなければならず、その結果、加工コスト、部品コスト、組立コストが著しく掛り、勢い高価になるという問題点があった。
【０００６】
これは椅子のスライド軸に限らず、他の用途におけるスライド軸についても同様なことがいえる。
【０００７】
本発明は、スライド軸には全く加工を要さず、スライドのためのブッシュおよび化粧カバーを利用してスライド軸の抜止めを図り、加工工数、部品点数、組立工数を大幅に削減してコストダウンを図ることを課題としてなされたものである。
【０００８】
【課題を解決するための手段】
上記課題を解決する手段として本発明は、スライド軸の軸端を支持する支持部材に形成された長孔にスライド軸の軸端をスライド用ブッシュを介して該長孔の長手方向にスライド自在に嵌挿し、このブッシュの前記長孔から突出する端部に係合部を形成するとともにこのブッシュの端部を隠蔽する化粧カバーに前記ブッシュの係合部に係着する係止部を設け、前記ブッシュの係合部に係着する化粧カバーによりスライド軸の抜止めとブッシュおよびスライド軸の軸端の隠蔽とをなさしめるようにしたことを特徴とする。
【０００９】
上記装置は、リクライニング方式の椅子において、座部を受台に対してスライドさせるためのスライド軸に適用して好適である。
【００１０】
【発明の実施の形態】
以下、本発明を図面に示す実施の形態を参照して説明する。
【００１１】
図１は本発明を前記図５に示したリクライニング方式の椅子における座部６を受台２に前後方向の摺動を許容するため該座部６の座受７の前部に横設されるスライド軸１５に適用した場合の一実施形態を示すもので、前記受台２に形成された長孔９には滑りのよい樹脂材からなる正面視長円形のブッシュ１６が嵌着されている。
【００１２】
上記ブッシュ１６は、図２（Ａ）〜（Ｄ）に示すように前記長孔９に内嵌する長円形状の軸挿通部１７を有し、基部には前記座受７と受台２との間に介装されるフランジ部１８を有しており、前記軸挿通部１７およびフランジ部１８にかけてスライド軸１５の直径が可及的密に挿通し得る短径を有する長円形状の軸挿通孔１９が形成されている。
【００１３】
前記軸挿通部１７の前記長孔９から突出する外端部の長辺側外面には切溝からなる係合部２０、２０が形成されており、前記スライド軸１５の軸端１５ａは前記軸挿通部１７から突出しない長さとされている。
【００１４】
化粧カバー２１は、図３（Ａ）〜（Ｃ）に示すように弾性を有する樹脂材により形成され、前記ブッシュ１６の軸挿通部１７の外端に外嵌する周縁部２２を有する長円形の蓋状のもので、その周縁部２２の長辺側内面には前記係合部２０、２０に係合する爪状の係止部２３、２３が突設されており、この化粧カバー２１をブッシュ１６の軸挿通部１７の外端に嵌合したとき化粧カバー２１の係止部２３、２３が図１のようにブッシュ１６の係合部２０、２０に係着して離脱しないよう取付けられ、同時にスライド軸１５の抜止めと隠蔽とが達成されるようになる一方、スライド軸１５は図４の矢印イ方向にスライド自在となる。
【００１５】
したがって組立時にはブッシュ１６を受台２の長孔９に内側から圧嵌しておき、座受７に挿通したスライド軸１５の軸端１５ａをブッシュ１６に挿入したのち化粧カバー２１をブッシュ１６の軸挿通部１７の外端に嵌めてその係止部２３、２３をブッシュ１６の係合部２０、２０に係着させれば、化粧カバー２１は外れることなく取付けられ、またスライド軸１５がその軸線方向に移動しようとしてもその軸端１５ａが化粧カバー２１の内面に当るので抜止めされる。
【００１６】
【発明の効果】
以上説明したように本発明によれば、スライド軸の軸端にＥリング等の止具を用いることなく、スライド軸のスライドのために使用するブッシュを利用してこれに係着する化粧カバーによりスライド軸の軸方向移動を阻止することができ、スライド軸の抜止めと軸端の隠蔽とを一挙に達成することができるのでスライド軸の溝加工が不要となることによる加工費の低減に加えＥリング等の止具が不要となって部品点数の削減が図れ、さらに組立時には化粧カバーをブッシュに嵌着させるだけでよいので組立も容易になり、特にリクライニング方式の椅子のスライド軸に適用した場合、スライド軸の軸端をＥリングの嵌着のために突出させる必要がないのですっきりした外観の椅子とすることができる。
【図面の簡単な説明】
【図１】本発明の一実施形態を示す一部の断面図。
【図２】図１におけるブッシュを示すもので、（Ａ）は正面図、（Ｂ）は側面図、（Ｃ）は（Ａ）のＢ−Ｂ断面図、（Ｄ）は（Ａ）のＣ−Ｃ断面図。
【図３】図１における化粧カバーを示すもので、（Ａ）は正面図、（Ｂ）は（Ａ）のＤ−Ｄ断面図、（Ｃ）は（Ａ）のＥ−Ｅ断面図。
【図４】図１の水平断面図。
【図５】本発明の適用対象例として示すリクライニング方式の椅子の略示側面図。
【図６】従来のスライド軸の軸止め装置を示す一部の断面図。
【符号の説明】
２  受台
３  背もたれ
６  座部
７  座受
８、１５  スライド軸
９  長孔
１０  溝
１１  止具（Ｅリング）
１２、２１  化粧カバー
１３、１６  ブッシュ
１７  軸挿通部
１８  フランジ部
１９  軸挿通孔
２０  係合部
２３  係止部
【図１】
0004421022.tif 000002
【図２】
0004421022.tif 000003
【図３】
0004421022.tif 000004
【図４】
0004421022.tif 000005
【図５】
0004421022.tif 000006
【図６】
0004421022.tif 000007